(57)【要約】【課題】複数の被検者が同一の血圧測定装置を共同で使用する場合、血圧測定の結果を記憶できる血圧測定装置であっても記憶したデータには複数の被検者の血圧値が混在することになり、いずれの血圧値がいずれの被検者の測定結果なのかが不明となってしまう。そこで、複数の被検者が共同で使用しても測定した血圧値を被検者毎に管理できる血圧測定装置を提供することを課題とする。【解決手段】血圧測定時に入力された被検者を識別できる識別符号毎に測定した血圧値を記憶し、前記識別符号毎に記憶した血圧値を出力することとした。【選択図】図１
2006217930.tif 000002
【特許請求の範囲】
【請求項１】
被検者の血圧を測定し、測定した血圧から血圧値を算出する血圧計と、
前記被検者を識別する識別符号を取得する識別符号入力回路と、
前記識別符号入力回路からの前記識別符号と前記血圧計からの前記血圧値とを対応付けて記憶し、記憶した前記血圧値を前記識別符号毎に記憶データとして出力する記憶手段と、
を備える血圧測定装置。
【請求項２】
被検者の血圧を測定し、測定した血圧から血圧値を算出する血圧計と、
前記被検者を識別する識別符号を取得する識別符号入力回路と、
前記血圧計が血圧を測定した血圧測定日時を計測する時刻測定回路と、
前記識別符号入力回路からの前記識別符号、前記血圧計からの前記血圧値及び前記時刻測定回路からの前記血圧測定日時を対応付けて記憶し、記憶した前記血圧値及び前記血圧測定日時を前記識別符号毎に記憶データとして出力する記憶手段と、
を備える血圧測定装置。
【請求項３】
前記記憶手段が出力する前記記憶データを前記識別符号毎に表示する表示部をさらに備えることを特徴とする請求項１又は２に記載の血圧測定装置。
【請求項４】
前記記憶手段が出力する前記記憶データから前記識別符号毎に前記血圧値の時間的推移をグラフ表示する、又は前記識別符号毎に前記血圧値の時間的推移を前記血圧測定日時の時間帯別にグラフ表示するグラフ表示部をさらに備えることを特徴とする請求項２に記載の血圧測定装置。
【請求項５】
前記識別符号入力回路は、バーコードで表記された前記識別符号を読み取るバーコードリーダを有することを特徴とする請求項１から４に記載のいずれかの血圧測定装置。
【請求項６】
前記識別符号入力回路は、ＩＤタグに記憶された前記識別符号を読み取るＩＤタグリーダを有することを特徴とする請求項１から４に記載のいずれかの血圧測定装置。
【請求項７】
前記識別符号に対応するパスワードを取得するパスワード入力回路と、
前記識別符号入力回路からの新規な識別符号に対応する前記パスワード入力回路からの新規なパスワードを前記新規な識別符号と対応付けて前記記憶手段に登録パスワードとして記憶させるパスワード登録手段と、
前記識別符号入力回路からの前記識別符号に対応する前記登録パスワードを前記記憶手段から検索し、前記パスワード入力回路からのパスワードと前記記憶手段からの前記検索した登録パスワードとを比較演算し、前記登録パスワードと前記パスワードが合致した場合に、前記記憶手段に前記識別符号に対応する前記記憶データを出力させるパスワード認証回路と、
をさらに備えることを特徴とする請求項１から６に記載のいずれかの血圧測定装置。
【請求項８】
前記識別符号に対応する生体情報を取得する生体情報入力回路と、
前記識別符号入力回路からの新規な識別符号に対応する前記生体情報入力回路からの新規な生体情報を前記新規な識別符号と対応付けて前記記憶手段に登録生体情報として記憶させる生体情報登録手段と、
前記識別符号入力回路からの前記識別符号に対応する前記登録生体情報を前記記憶手段から検索し、前記生体情報入力回路からの生体情報と前記記憶手段からの前記検索した登録生体情報とを比較演算し、前記登録生体情報と前記生体情報が合致した場合に、前記記憶手段に前記識別符号に対応する前記記憶データを出力させる生体情報認証回路と、
をさらに備えることを特徴とする請求項１から６に記載のいずれかの血圧測定装置。
【請求項９】
前記被検体を識別するライセンスコードを記憶するハードウエアキーを接続するハードウエアキー接続部と、
前記識別符号入力回路からの新規な識別符号に対応する前記ハードウエアキー接続部に接続された前記ハードウエアキーからの新規なライセンスコードを前記新規な識別符号と対応付けて前記記憶手段に登録ライセンスコードとして記憶させるライセンスコード登録手段と、
前記識別符号入力回路からの前記識別符号に対応する前記登録ライセンスコードを前記記憶手段から検索し、前記ハードウエアキー接続部に接続された前記ハードウエアキーからのライセンスコードと前記記憶手段からの前記検索した登録ライセンスコードとを比較演算し、前記登録ライセンスコードと前記ライセンスコードが合致した場合に、前記記憶手段に前記識別符号に対応する前記記憶データを出力させるハードウエアキー認証回路と、
をさらに備えることを特徴とする請求項１から６に記載のいずれかの血圧測定装置。
【請求項１０】
被検者の血圧を測定し、測定した血圧から血圧値を算出する血圧計と、
前記被検者を識別する生体情報を取得する生体情報入力回路と、
前記生体情報入力回路からの前記生体情報と前記血圧計からの前記血圧値とを対応付けて記憶し、記憶した前記血圧値を前記生体情報毎に記憶データとして出力する記憶手段と、
を備える血圧測定装置。
【請求項１１】
被検者の血圧を測定し、測定した血圧から血圧値を算出する血圧計と、
前記被検者を識別する生体情報を取得する生体情報入力回路と、
前記血圧計が血圧を測定した血圧測定日時を計測する時刻測定回路と、
前記生体情報入力回路からの前記生体情報、前記血圧計からの前記血圧値及び前記時刻測定回路からの前記血圧測定日時を対応付けて記憶し、記憶した前記血圧値及び前記血圧測定日時を前記生体情報毎に記憶データとして出力する記憶手段と、
を備える血圧測定装置。
【請求項１２】
前記記憶手段が出力する前記記憶データを前記生体情報毎に表示する表示部をさらに備えることを特徴とする請求項１０又は１１に記載の血圧測定装置。
【請求項１３】
前記記憶手段が出力する前記記憶データから前記生体情報毎に前記血圧値の時間的推移をグラフ表示する、又は前記生体情報毎に前記血圧値の時間的推移を前記血圧測定日時の時間帯別にグラフ表示するグラフ表示部をさらに備えることを特徴とする請求項１１に記載の血圧測定装置。
【請求項１４】
前記生体情報入力回路からの前記生体情報により、前記記憶手段に前記生体情報に対応する前記記憶データを出力させる生体情報認証回路をさらに備えることを特徴とする請求項１０から１３に記載のいずれかの血圧測定装置。
【請求項１５】
少なくとも前記血圧計を外耳の一部に装着する耳装着部をさらに備えることを特徴とする請求項１から１４に記載のいずれかの血圧測定装置。
【発明の詳細な説明】
【技術分野】
【０００１】
本願発明は、複数の被検者が共有して血圧測定し、被検者毎に血圧値を管理することができる血圧測定装置に関する。
【背景技術】
【０００２】
近年、生活習慣に深く関連する生活習慣病と呼ばれる健康障害や、高齢者の健康維持への関心が高まり、各種の診断法および予防対策が検討されている。特に、長期にわたり定期的に取得した血圧値、体温、脈拍などの生体情報は、健康維持上重要なデータとなることが認識されている。従って、定期的に前記生体情報を取得しておくことは正しい診断及び疾患予防方法立案のために重要なことである。そこで、家庭や職場で簡便に血圧測定ができる機器も開発されている（例えば、特許文献１参照。）。
【０００３】
なお、以下の記載において特に区別しない場合、血圧値には収縮期血圧値及び拡張期血圧値が含まれる。
【特許文献１】特開２００４−１２１６３２号公報
【発明の開示】
【発明が解決しようとする課題】
【０００４】
しかし、家庭や職場で血圧測定を行う場合、複数の被検者が同一の血圧測定装置を共同で使用することになり、血圧測定の結果を記憶できる血圧測定装置であっても記憶したデータには複数の被検者の血圧値が混在することになる。従って、被検者が長期にわたって定期的に血圧測定をしていたとしても、いずれの血圧値がいずれの被検者の測定結果なのかが不明となり、正しい診断及び疾患予防方法立案をすることが困難になってしまうことがあった。
【０００５】
そこで、本願発明は、従来例における上記の課題を解決するため、複数の被検者が共同で使用しても測定した血圧値を被検者毎に管理できる血圧測定装置を提供することを課題とする。
【課題を解決するための手段】
【０００６】
上記課題を解決するために、本願第一の発明に係る血圧測定装置は、血圧測定時に入力された被検者を識別できる識別符号毎に測定した血圧値を記憶し、前記識別符号毎に記憶した血圧値を出力することとした。
【０００７】
具体的には、本願第一の発明は、被検者の血圧を測定し、測定した血圧から血圧値を算出する血圧計と、前記被検者を識別する識別符号を取得する識別符号入力回路と、前記識別符号入力回路からの前記識別符号と前記血圧計からの前記血圧値とを対応付けて記憶し、記憶した前記血圧値を前記識別符号毎に記憶データとして出力する記憶手段と、を備える血圧測定装置である。
【０００８】
本願第一の発明に係る血圧測定装置で各被検者を識別可能とするために被検者毎に数字、アルファベット等の文字又は文字列で構成される前記識別符号を予め定めておく。
前記血圧測定装置は、血圧測定時に前記識別符号入力回路から入力された前記識別符号と血圧値を対応付けて記憶手段に記憶させることで、複数の被検者が血圧測定をしたとしても測定した血圧値を被検者毎に管理することができる。
【０００９】
従って、本願第一の発明は複数の被検者が共同で使用しても測定した血圧値を被検者毎に管理することができる血圧測定装置を提供することができる。
【００１０】
上記課題を解決するために、本願第二の発明に係る血圧測定装置は、血圧測定時に入力された被検者を識別できる識別符号毎に測定した血圧値と血圧測定日時とを記憶し、前記識別符号毎に記憶した血圧値と血圧測定日時とを出力することとした。
【００１１】
具体的には、本願第二の発明は、被検者の血圧を測定し、測定した血圧から血圧値を算出する血圧計と、前記被検者を識別する識別符号を取得する識別符号入力回路と、前記血圧計が血圧を測定した血圧測定日時を計測する時刻測定回路と、前記識別符号入力回路からの前記識別符号、前記血圧計からの前記血圧値及び前記時刻測定回路からの前記血圧測定日時を対応付けて記憶し、記憶した前記血圧値及び前記血圧測定日時を前記識別符号毎に記憶データとして出力する記憶手段と、を備える血圧測定装置である。
【００１２】
本願第二の発明に係る血圧測定装置で各被検者を識別可能とするために被検者毎に数字、アルファベット等の文字又は文字列で構成される前記識別符号を予め定めておく。
【００１３】
本願第二の発明に係る血圧測定装置は、前記識別符号入力回路から入力された前記識別符号、前記識別符号に対応する被検者の血圧値及び血圧測定日時を対応付けて記憶手段に記憶させることで、複数の被検者が血圧測定をしたとしても測定した血圧値と血圧測定日時を被験者毎に管理することができる。
【００１４】
従って、本願第二の発明は複数の被検者が共同で使用しても測定した血圧値を被検者毎に時系列で管理することができる血圧測定装置を提供することができる。
【００１５】
本願第一の発明又は本願第二の発明に係る血圧測定装置は、前記記憶手段が出力する前記記憶データを前記識別符号毎に表示する表示部をさらに備えてもよい。
【００１６】
前記記憶手段は記憶した血圧値を前記識別符号毎に前記表示部へ出力するため、前記表示部は前記血圧値を被検者毎に表示することができる。被検者は前記表示部を確認することで前記記憶手段に記憶されている血圧値を検索することなく、容易に被検者自らの血圧値を確認することができる。
【００１７】
従って、前記表示部を備えたことにより本願第一の発明又は本願第二の発明に係る血圧測定装置は複数の被検者が共同で使用しても測定した測定値を被検者毎に管理し、表示することができる。
【００１８】
本願第二の発明に係る血圧測定装置は、前記記憶手段が出力する前記記憶データから前記識別符号毎に前記血圧値の時間的推移をグラフ表示する、又は前記識別符号毎に前記血圧値の時間的推移を前記血圧測定日時の時間帯別にグラフ表示するグラフ表示部をさらに備えてもよい。
【００１９】
前記記憶手段は記憶した血圧値と血圧測定日時を前記識別符号毎に前記グラフ表示部へ出力するため、前記グラフ表示部は前記血圧値の時間的推移を被検者毎にグラフ表示することができる。被検者は前記グラフ表示部を確認することで前記記憶手段に記憶されている血圧値を検索することなく、被検者個人の血圧値の時間的推移をグラフとして視覚的に確認することができる。
【００２０】
従って、前記グラフ表示部を備えたことにより本願第二の発明に係る血圧測定装置は複数の被検者が共同で使用しても測定した血圧値を被検者毎に管理し、グラフ表示することができる。
【００２１】
本願第一の発明又は本願第二の発明に係る血圧測定装置において、前記識別符号入力回路は、バーコードで表記された前記識別符号を読み取るバーコードリーダを有してもよい。
【００２２】
前記識別符号をバーコードで表記し、血圧測定時に前記バーコードをバーコードリーダで読み取ることで前記識別符号の入力間違いを避けることができる。
【００２３】
従って、前記識別符号入力回路がバーコードリーダを有することにより本願第一の発明又は本願第二の発明に係る血圧測定装置は複数の被検者が共同で使用しても測定した血圧値を被検者毎に正確に管理することができる。
【００２４】
本願第一の発明又は本願第二の発明に係る血圧測定装置において、前記識別符号入力回路は、ＩＤタグに記憶された前記識別符号を読み取るＩＤタグリーダを有してもよい。
【００２５】
前記識別符号をＩＤタグに記憶させ、血圧測定時に前記ＩＤタグをＩＤタグリーダで読み取ることで前記識別符号の入力間違いを避けることができる。
【００２６】
従って、前記識別符号入力回路がＩＤタグリーダを有することにより本願第一の発明又は本願第二の発明に係る血圧測定装置は複数の被検者が共同で使用しても測定した血圧値を被検者毎に正確に管理することができる。
【００２７】
本願第一の発明又は本願第二の発明に係る血圧測定装置は、前記識別符号に対応するパスワードを取得するパスワード入力回路と、前記識別符号入力回路からの新規な識別符号に対応する前記パスワード入力回路からの新規なパスワードを前記新規な識別符号と対応付けて前記記憶手段に登録パスワードとして記憶させるパスワード登録手段と、前記識別符号入力回路からの前記識別符号に対応する前記登録パスワードを前記記憶手段から検索し、前記パスワード入力回路からのパスワードと前記記憶手段からの前記検索した登録パスワードとを比較演算し、前記登録パスワードと前記パスワードが合致した場合に、前記記憶手段に前記識別符号に対応する前記記憶データを出力させるパスワード認証回路と、をさらに備えてもよい。
【００２８】
被検者は、数字、アルファベット等の文字又は文字列で構成されるパスワードを定め、前記パスワードを前記血圧測定装置の前記記憶手段に被検者確認用の前記登録パスワードとして前記被検者の識別符号と対応付けて記憶させておく。前記パスワード認証回路を備えた前記血圧測定装置は前記記憶データを出力する際にパスワード照合を行う。前記パスワード照合において前記記憶手段に記憶されている血圧値を確認したい被検者のパスワードと前記被検者の登録パスワードとが一致した場合に、前記血圧測定装置は前記被検者の識別符号に対応する血圧値のみを前記記憶データとして出力する。すなわち、前記識別符号に対応しない他の被検者の血圧値は出力されない。さらに、前記パスワード照合において前記パスワードと前記登録パスワードとが一致しない場合、前記血圧測定装置は前記記憶データを出力しない。前記パスワード認証回路を備えることにより前記血圧測定装置は前記記憶手段に記憶する血圧値を個人情報として保護することができる。
【００２９】
従って、本願第一の発明又は本願第二の発明に係る血圧測定装置は複数の被検者が共同で使用しても測定結果を被検者毎に管理することができる。
【００３０】
本願第一の発明又は本願第二の発明に係る血圧測定装置は、前記識別符号に対応する生体情報を取得する生体情報入力回路と、前記識別符号入力回路からの新規な識別符号に対応する前記生体情報入力回路からの新規な生体情報を前記新規な識別符号と対応付けて前記記憶手段に登録生体情報として記憶させる生体情報登録手段と、前記識別符号入力回路からの前記識別符号に対応する前記登録生体情報を前記記憶手段から検索し、前記生体情報入力回路からの生体情報と前記記憶手段からの前記検索した登録生体情報とを比較演算し、前記登録生体情報と前記生体情報が合致した場合に、前記記憶手段に前記識別符号に対応する前記記憶データを出力させる生体情報認証回路と、をさらに備えてもよい。
【００３１】
指紋、眼球奥の虹彩、皮膚表面に現れる静脈パタン等の生体情報は、被検者固有のものであることが知られている。
【００３２】
被検者は、自らの生体情報を前記血圧測定装置の前記記憶手段に被検者確認用の登録生体情報として前記被検者の識別符号と対応付けて記憶させておく。前記生体情報認証回路を備えた前記血圧測定装置は前記記憶データを出力する際に生体情報の照合を行う。前記生体情報の照合において前記記憶手段に記憶されている血圧値を確認したい被検者の生体情報と前記被検者の登録生体情報とが一致した場合に、前記血圧測定装置は前記被検者の識別符号に対応する血圧値のみを前記記憶データとして出力する。すなわち、前記識別符号に対応しない他の被検者の血圧値は出力されない。さらに、前記生体情報の照合において前記生体情報と前記登録生体情報とが一致しない場合、前記血圧測定装置は前記記憶データを出力しない。前記生体情報認証回路を備えることにより前記血圧測定装置は前記記憶手段に記憶する血圧値を個人情報として保護することができる。
【００３３】
従って、本願第一の発明又は本願第二の発明に係る血圧測定装置は複数の被検者が共同で使用しても測定結果を被検者毎に管理することができる。
【００３４】
本願第一の発明又は本願第二の発明に係る血圧測定装置は、前記被検体を識別するライセンスコードを記憶するハードウエアキーを接続するハードウエアキー接続部と、前記識別符号入力回路からの新規な識別符号に対応する前記ハードウエアキー接続部に接続された前記ハードウエアキーからの新規なライセンスコードを前記新規な識別符号と対応付けて前記記憶手段に登録ライセンスコードとして記憶させるライセンスコード登録手段と、前記識別符号入力回路からの前記識別符号に対応する前記登録ライセンスコードを前記記憶手段から検索し、前記ハードウエアキー接続部に接続された前記ハードウエアキーからのライセンスコードと前記記憶手段からの前記検索した登録ライセンスコードとを比較演算し、前記登録ライセンスコードと前記ライセンスコードが合致した場合に、前記記憶手段に前記識別符号に対応する前記記憶データを出力させるハードウエアキー認証回路と、をさらに備えてもよい。
【００３５】
被検者は、前記ハードウエアキーが記憶する前記ライセンスコードを前記血圧測定装置の前記記憶手段に登録ライセンスコードとして前記被検者の識別符号と対応付けて記憶させておく。前記ハードウエアキー認証回路を備えた前記血圧測定装置は前記記憶データを出力する際にライセンスコード照合を行う。前記ライセンスコード照合において前記記憶手段に記憶されている血圧値を確認したい被検者のライセンスコードと前記被検者の登録ライセンスコードとが一致した場合に、前記血圧測定装置は前記被検者の識別符号に対応する血圧値のみを前記記憶データとして出力する。すなわち、前記識別符号に対応しない他の被検者の血圧値は出力されない。さらに、前記ライセンスコード照合において前記ライセンスコードと前記登録ライセンスコードとが一致しない場合、あるいは前記ハードウエアキーを接続しない場合、前記血圧測定装置は前記記憶データを出力しない。前記ハードウエアキー認証回路を備えることにより前記血圧測定装置は前記記憶手段に記憶する血圧値を個人情報として保護することができる。
【００３６】
従って、本願第一の発明又は本願第二の発明に係る血圧測定装置は複数の被検者が共同で使用しても測定結果を被検者毎に管理することができる。
【００３７】
上記課題を解決するために、本願第三の発明に係る血圧測定装置は、血圧測定時に入力された被検者を識別できる生体情報毎に測定した血圧値を記憶し、前記生体情報毎に記憶した血圧値を出力することとした。
【００３８】
具体的には、本願第三の発明は、被検者の血圧を測定し、測定した血圧から血圧値を算出する血圧計と、前記被検者を識別する生体情報を取得する生体情報入力回路と、前記生体情報入力回路からの前記生体情報と前記血圧計からの前記血圧値とを対応付けて記憶し、記憶した前記血圧値を前記生体情報毎に記憶データとして出力する記憶手段と、を備える血圧測定装置である。
【００３９】
本願第三の発明に係る血圧測定装置は、血圧測定時に前記生体情報入力回路から入力された前記生体情報と測定した血圧値を対応付けて記憶手段に記憶させることで、複数の被検者が血圧測定をしたとしても測定した血圧値を被検者毎に管理することができる。
【００４０】
従って、本願第三の発明は複数の被検者が共同で使用しても測定した血圧値を被検者毎に管理することができる血圧測定装置を提供することができる。
【００４１】
上記課題を解決するために、本願第四の発明に係る血圧測定装置は、血圧測定時に入力された被検者を識別できる生体情報毎に測定した血圧値と血圧測定日時とを記憶し、前記生体情報毎に記憶した血圧値と血圧測定日時とを出力することとした。
【００４２】
具体的には、本願第四の発明は、被検者の血圧を測定し、測定した血圧から血圧値を算出する血圧計と、前記被検者を識別する生体情報を取得する生体情報入力回路と、前記血圧計が血圧を測定した血圧測定日時を計測する時刻測定回路と、前記生体情報入力回路からの前記生体情報、前記血圧計からの前記血圧値及び前記時刻測定回路からの前記血圧測定日時を対応付けて記憶し、記憶した前記血圧値及び前記血圧測定日時を前記生体情報毎に記憶データとして出力する記憶手段と、を備える血圧測定装置である。
【００４３】
本願第四の発明に係る血圧測定装置は、前記生体情報入力回路から入力された前記生体情報、前記生体情報に対応する被検者の血圧値及び前記血圧測定日時を対応付けて記憶手段に記憶させることで、複数の被検者が血圧測定をしたとしても測定した血圧値と血圧測定日時を被験者毎に管理することができる。
【００４４】
従って、本願第四の発明は複数の被検者が共同で使用しても測定した血圧値を被検者毎に時系列で管理することができる血圧測定装置を提供することができる。
【００４５】
本願第三の発明又は本願第四の発明に係る血圧測定装置は、前記記憶手段が出力する前記記憶データを前記生体情報毎に表示する表示部をさらに備えてもよい。
【００４６】
前記記憶手段は記憶した血圧値を前記生体情報毎に前記表示部へ出力するため、前記表示部は前記血圧値を被検者毎に表示することができる。被検者は前記表示部を確認することで前記記憶手段に記憶されている血圧値を検索することなく、容易に被検者自らの血圧値のみを確認することができる。
【００４７】
従って、前記表示部を備えたことにより本願第三の発明又は本願第四の発明に係る血圧測定装置は複数の被検者が共同で使用しても測定した測定値を被検者毎に管理し、表示することができる。
【００４８】
本願第四の発明に係る血圧測定装置は、前記記憶手段が出力する前記記憶データから前記生体情報毎に前記血圧値の時間的推移をグラフ表示する、又は前記生体情報毎に前記血圧値の時間的推移を前記血圧測定日時の時間帯別にグラフ表示するグラフ表示部をさらに備えてもよい。
【００４９】
前記記憶手段は記憶した血圧値と血圧測定日時を前記生体情報毎に前記グラフ表示部へ出力するため、前記グラフ表示部は前記血圧値の時間的推移を被検者毎にグラフ表示することができる。被検者は前記グラフ表示部を確認することで前記記憶手段に記憶されている血圧値を検索することなく、被検者個人の血圧値のみの時間的推移をグラフとして視覚的に確認することができる。
【００５０】
従って、前記グラフ表示部を備えたことにより本願第四の発明に係る血圧測定装置は複数の被検者が共同で使用しても測定した血圧値を被検者毎に管理し、グラフ表示することができる。
【００５１】
本願第三の発明又は本願第四の発明に係る血圧測定装置は、前記生体情報入力回路からの前記生体情報により、前記記憶手段に前記生体情報に対応する前記記憶データを出力させる生体情報認証回路をさらに備えてもよい。
【００５２】
被検者は血圧値を確認する際に前記生体情報入力回路から自らの生体情報を入力する。前記生体情報認証回路は前記記憶手段に記憶される血圧値から入力された生体情報に対応する血圧値のみを前記記憶データとして前記記憶手段に出力させることとした。すなわち、前記生体情報に対応しない他の被検者の血圧値は出力されない。前記生体情報認証回路を備えることにより前記血圧測定装置は血圧値を個人情報として保護することができる。
【００５３】
従って、本願第三の発明又は本願第四の発明に係る血圧測定装置は複数の被検者が共同で使用しても測定結果を被検者毎に管理することができる。
【００５４】
本願第一から第四のいずれかの発明に係る血圧測定装置は、少なくとも前記血圧計を外耳の一部に装着する耳装着部をさらに備えてもよい。
【００５５】
血圧は測定箇所によっても値が変化する。測定毎に測定箇所が変われば取得した血圧値の信頼性が低くなる。そこで、前記耳装着部を備えることで前記血圧計を外耳の一部に確実かつ容易に装着できる。従って、同一測定箇所において血圧測定ができるため、測定再現性が向上し、精度よく血圧値を取得することができる。
【００５６】
従って、本願第一から第四のいずれかの発明に係る血圧測定装置は複数の被検者が共同で使用しても測定結果を被検者毎に管理することができる。
【発明の効果】
【００５７】
本願発明は、複数の被検者が共同で使用しても測定した血圧値を被検者毎に管理することができる血圧測定装置を提供することができる。
【発明を実施するための最良の形態】
【００５８】
添付の図面を参照して本願発明の実施の形態を説明する。以下に説明する実施の形態は本願発明の構成の例であり、本願発明は、以下の実施の形態に制限されるものではない。
【００５９】
（実施の形態１）
本願第一の発明の実施形態に係る血圧測定装置は、被検者の血圧を測定し、測定した血圧から血圧値を算出する血圧計と、前記被検者を識別する識別符号を取得する識別符号入力回路と、前記識別符号入力回路からの前記識別符号と前記血圧計からの前記血圧値とを対応付けて記憶し、記憶した前記血圧値を前記識別符号毎に記憶データとして出力する記憶手段と、を備える。
【００６０】
図１は、本願発明の実施の形態１に係る血圧測定装置の構成を示す概略図である。本願第一の発明の実施形態に係る血圧測定装置は、識別符号入力回路１３、血圧計１５及び記憶手段１７を備える。
【００６１】
血圧計１５は、被検者の血圧測定部を圧迫する圧力と検出した血流の脈動とから血圧を測定し、収縮期血圧値、拡張期血圧値等の血圧値を算出するとともに、算出した血圧値を血圧値信号１０５として出力する。さらに、血圧計１５は前記血流の脈動から脈拍数を算出し、血圧値信号１０５とともに出力してもよい。
【００６２】
血圧計１５は血圧測定部を圧迫する手段として圧力を印加するカフを有する。前記カフの種類は血圧測定部を圧迫できる構造のものであれば特に特定はしない。例えば、気体又は液体の供給により伸縮する構造としてもよい。図示しない供給源から前記気体又は液体の供給圧を制御することで、血圧測定部を圧迫する圧力を制御することができる。また、電力で駆動するモーター、ボイスコイル等のアクチュエータを使用しても良い。図示しない電源からの電圧もしくは電流を制御することで、血圧測定部を圧迫する圧力を制御することができ、小型のアクチュエータを使用することで血圧計１５の小型化を図ることができる。血圧計１５による血圧の測定については後述する。
【００６３】
血圧計１５は血圧測定部の脈動を検出し、血圧測定部を圧迫する圧力を測定する手段として図示しない圧力センサをさらに有する。前記圧力センサの種類は血圧測定部を圧迫する圧力を測定できる構造のものであれば特に特定はしないが、前記カフが気体又は液体の供給により伸縮する構造であれば、前記カフ内の気体又は液体の圧力を測定できる圧力計であることが好ましい。前記圧力計は前記カフ内の気体又は液体の圧力を血圧測定部を圧迫する圧力として測定することができ、血圧測定部の脈動が前記カフ内の気体又は液体に伝搬して生ずる前記カフ内の気体又は液体の圧力変動を脈波として測定することができる。
【００６４】
また、圧力センサを印加する圧力により形状が変化し電気抵抗値が変わる特性を有する感圧導電ゴムとすることもできる。感圧導電ゴムは絶縁性のゴム材料中に炭素、金属等の導電性粒子がほぼ均等に分散された状態で成形されており、圧力を印加しない場合、前記導電性粒子は互いに接触しておらず４０ＭΩ程度の高い電気抵抗値を示している。一方、感圧導電ゴムに圧力を印加すると、前記導電性粒子が接触し始め、ゴム内に導電経路が形成され、圧力に応じ導電経路が増えて電気抵抗値が５Ω程度と低くなる。つまり、感圧導電ゴムは圧力を印加すると電気抵抗値が低くなり、圧力電気抵抗値が高くなる性質を有する。前記感圧導電ゴムは血圧測定部を圧迫する前記カフの圧迫面に配置される。前記感圧導電ゴムには電気抵抗を測定する電気抵抗測定器が接続され、前記カフが血圧測定部を圧迫する圧力を電気抵抗として測定することができる。従って、前記感圧導電ゴムは血圧測定部の脈動を電気抵抗値の変動として測定することができる。
【００６５】
血圧計１５は、以下のように動作する。前記カフは前記圧力センサが所定の値になるまで血圧測定部を圧迫する圧力を強くする。前記カフが圧迫することにより血圧測定部の内部の血流は停止する状態になる。その後、前記カフは血圧測定部を圧迫する圧力を減少させる。血圧測定部を圧迫する圧力の減少に伴い、血圧測定部の内部の血液が流れ始め、前記血流による脈動が始まる。前記血流の脈動は前記圧力センサで検出することができる。前記カフが血圧測定部を圧迫する圧力がさらに弱くなると、前記血流の脈動が小さくなり前記圧力センサは脈動を検出できなくなる。例えば、前記血流の脈動が始まったときの前記圧力センサの圧力を収縮期血圧値、前記血流の脈動を検出できなくなったときの前記圧力センサの圧力を拡張期血圧値とすることができる。また、前記圧力センサが検出した脈動の周波数から脈拍数を算出することができる。前記カフが血圧測定部を圧迫しなくなった時点で血圧計１５は血圧測定を終了する。
【００６６】
なお、血圧計１５の脈動検出手段は光電測定手段としてもよい。具体的には、血圧計１５は前記カフと前記圧力センサの他に図示しない発光素子と図示しない受光素子とを有する。前記発光素子は血液中のヘモグロビンに吸収されやすい波長の照射光を血圧測定部に向けて照射する。前記受光素子は血圧測定部の血流の脈動に伴う血液中のヘモグロビン量の増減によって前記照射光が吸収及び散乱して生じた散乱光を光電変換し、電気信号として出力する。血圧計１５は前記電気信号の変動を図示しない信号受信回路で処理することにより、血流の脈動に対応する脈波を検出することができる。光電測定手段において、例えば、前記信号受信回路が前記電気信号の変動を検出し始めたときの前記圧力センサの圧力を収縮期血圧値、前記信号受信回路が前記電気信号の変動を検出できなくなったときの前記圧力センサの圧力を拡張期血圧値とすることができる。また、前記電気信号の変動の周波数から脈拍数を算出することができる。なお、収縮期血圧値及び拡張期血圧値は血圧値の名称の一例であり、他の名称を使用することもある。
【００６７】
識別符号入力回路１３は、被検者を識別する識別符号を入力する回路である。前記識別符号は信号処理しやすい数字、アルファベット等の文字又は文字列で構成されることが好ましい。被検者は識別符号入力回路１３が有する数字、アルファベット等の文字が並んだキーボードから前記識別符号を入力する。識別符号入力回路１３は入力された識別符号を識別符号信号１０３として出力する。例えば、入力された識別符号をＡＳＣＩＩコード、ＥＢＣＤＩＣコード等の文字コードに変換して出力してもよい。
【００６８】
なお、本願に係る血圧測定装置を使用する被検者数が少数である場合、識別符号入力回路１３を複数のボタンスイッチとしてもよい。例えば、前記血圧測定装置を家庭用とする場合、２個から８個程度のボタンスイッチを用意しておく。家族内で家人毎に押すボタンスイッチを決め、各家人は血圧測定時に前記ボタンスイッチを押すことで識別符号入力回路１３は各ボタンスイッチに対応する識別符号信号１０３を出力する。識別符号入力回路１３を複数のボタンスイッチとすることで複雑な回路を必要とせず前記血圧測定装置の低価格化に寄与することができる。
【００６９】
逆に、病院、介護施設等の被検者が多数存在する場合、識別符号入力回路１３にバーコードリーダを接続してもよい。前記識別符号をバーコードあるいは二次元バーコードで表記し、例えば、前記バーコードを前記被検者の腕や被検者のベッドのフレームに取り付けることができる。例えば、医師、看護士が被検者の血圧測定を行う場合に前記バーコードリーダで前記バーコードを読み取るだけで前記識別符号を前記血圧測定装置に入力することができる。従って、前記被検者の識別符号の確認を不要とし、前記識別符号の入力間違いを回避することができる。
【００７０】
また、識別符号入力回路１３にＩＤタグリーダを接続してもよい。ＩＤタグとはフェライトコアに銅線を巻いた内部アンテナ、メモリ、無線通信に必要な制御回路を収めたＩＣチップである。ＩＤタグリーダとは前記ＩＤタグとの通信に必要な信号処理部とＲＦモジュールを一体化した装置で、前記ＩＤタグにアンテナから電波を送り、前記ＩＤタグから送り返されたデータを受け取ることができる。予め前記識別符号を前記ＩＤタグに記憶させておく。血圧測定時に前記ＩＤタグリーダで前記ＩＤタグの記憶する前記識別符号を読み取ることで識別符号入力回路１３に前記バーコードリーダを接続した場合と同じ効果を得ることができる。
【００７１】
記憶手段１７は、入力された識別符号と血圧計１５が算出した血圧値を対応付けて記憶していく。血圧計１５が脈拍数も算出した場合は脈拍数も前記識別符号と対応付けて記憶してもよい。電源スイッチを切っても記憶したデータが消滅しないフラッシュメモリであることが好ましい。記憶手段１７は前記識別符号と対応付けて記憶した前記血圧値とを識別符号毎に記憶データ１０７として出力する。例えば識別符号の降順に出力することができる。
【００７２】
前記血圧測定装置の識別符号入力回路１３、血圧計１５及び記憶手段１７は図１のように接続される。すなわち、記憶手段１７は識別符号入力回路１３が出力した識別符号信号１０３と血圧計１５が出力した血圧値信号１０５とを受信する。
【００７３】
本願発明の実施の形態１に係る血圧測定装置は以下のように動作する。被検者は血圧測定前に被検者毎に定められた識別符号を識別符号入力回路１３に入力する。次いで被検者は血圧計１５により血圧を測定する。血圧計１５は測定した血圧から血圧値を算出する。記憶手段１７は識別符号信号１０３の識別符号と血圧値信号１０５の血圧値を対応付けて記憶し、被検者の要求あるいは前記血圧測定装置に接続したコンピュータ等の外部機器の要求に応じ、記憶した血圧値を識別符号毎に記憶データ１０７として出力する。
【００７４】
従って、本願発明の実施の形態１に係る血圧測定装置は複数の被検者が共同で使用しても測定した血圧値を被検者毎に管理することができ、正しい診断及び疾患予防方法立案のための血圧値を被検者毎に提供することができる。なお、被検者が識別符号を識別符号入力回路１３に入力することで血圧計１５は血圧測定可能状態となるようにしてもよい。識別符号の入力忘れを防止することができ、測定した血圧値がいずれの被検者の血圧値であるかが不明となることを避けることができる。
【００７５】
（実施の形態２）
本願第二の発明の実施形態に係る血圧測定装置は、被検者の血圧を測定し、測定した血圧から血圧値を算出する血圧計と、前記被検者を識別する識別符号を取得する識別符号入力回路と、前記血圧計が血圧を測定した血圧測定日時を計測する時刻測定回路と、前記識別符号入力回路からの前記識別符号、前記血圧計からの前記血圧値及び前記時刻測定回路からの前記血圧測定日時を対応付けて記憶し、記憶した前記血圧値及び前記血圧測定日時を前記識別符号毎に記憶データとして出力する記憶手段と、を備える。
【００７６】
図２は、本願発明の実施の形態２に係る血圧測定装置の構成を示す概略図である。図２の血圧測定装置は、図１で説明した血圧測定装置にさらに時刻測定回路１１を備える。以下に特に記載しない限り、図１で用いた符号と同じ符号は同じ構成及び同じ機能である。
【００７７】
血圧計１５は、血圧値信号１０５の他に血圧測定の終了とともに血圧測定を完了したことを通知する血圧測定確認信号１１５を出力する。
【００７８】
時刻測定回路１１は、時計機能を有し、血圧計１５が血圧を測定した日時を測定し、測定した日時を測定日時データ１０１として出力する。
【００７９】
前記血圧測定装置の時刻測定回路１１、識別符号入力回路１３、血圧計１５及び記憶手段１７は図２のように接続される。具体的には、識別符号入力回路１３、血圧計１５及び記憶手段１７は図１で説明した血圧測定装置のように接続され、さらに、時刻測定回路１１は血圧計１５と記憶手段１７とに接続される。
【００８０】
図１で用いた符号と同じ図２の符号は同じ動作を行い、図２の血圧測定装置は図１の血圧測定装置で説明したように血圧測定を行う。時刻測定回路１１は血圧測定確認信号１１５を受信し、血圧測定の日時を測定し、測定日時データ１０１を出力する。記憶手段１７は測定日時データ１０１、識別符号信号１０３及び血圧値信号１０５を受信し、血圧測定日時、前記識別符号及び前記血圧値を対応付けて記憶する。さらに、被検者の要求あるいは前記血圧測定装置に接続したコンピュータ等の外部機器の要求に応じ、記憶した血圧値と血圧測定日時を識別符号毎に記憶データ１０７として出力する。
【００８１】
従って、本願発明の実施の形態２に係る血圧測定装置は複数の被検者が共同で使用しても測定した血圧値を被検者毎に時系列で管理することができ、正しい診断及び疾患予防方法立案のための血圧値を被検者毎に提供することができる。
【００８２】
（実施の形態３）
本願第一の発明又は本願第二の発明の実施形態に係る血圧測定装置は、前記記憶手段が出力する前記記憶データを前記識別符号毎に表示する表示部をさらに備えてもよい。
【００８３】
図３は、本願発明の実施の形態３に係る血圧測定装置の構成を示す概略図である。以下に特に記載しない限り、図１及び図２で用いた符号と同じ符号は同じ構成及び同じ機能である。図２の血圧測定装置との違いは記憶手段１７に表示部１９が接続されていることである。
【００８４】
表示部１９は記憶手段１７が出力する記憶データ１０７の血圧値又は血圧値と血圧測定日時（以下、「血圧値」又は「血圧値と血圧測定日時」を「血圧値等」とする。）を表示する。
【００８５】
図１及び図２で用いた符号と同じ図３の符号は同じ動作を行う。図３の血圧測定装置は図１又は図２の血圧測定装置で説明したように血圧測定を行い、血圧値等を記憶手段１７に記憶する。記憶手段１７は記憶データ１０７を表示部１９へ出力するため、表示部１９は前記血圧値等を識別符号毎、すなわち被検者毎に表示することができる。被検者は表示部１９を確認することで記憶手段１７に記憶されている血圧値等を検索することなく、容易に被検者自らの血圧値等を確認することができる。
【００８６】
表示部１９の表示例を図４に示す。図４における表示部１９は、例えばタッチパネル式の液晶表示画面とすることができる。図４の表示例では、識別符号０１４２の被検者が行った血圧測定の血圧測定日時と血圧値を表示している。例えば、２００４年１２月１０日の血圧測定時刻は午前８時１６分であり、収縮期血圧値は１２４ｍｍＨｇ、拡張期血圧値は７６ｍｍＨｇであったことを示している。他の識別符号に対応する被検者の血圧測定日時と血圧値を確認したい場合、表示画面上部の他の識別符号のタブに触れることで表示させることができる。
【００８７】
従って、本願発明の実施の形態３に係る血圧測定装置は複数の被検者が共同で使用しても測定した血圧値等を被検者毎に管理することができ、正しい診断及び疾患予防方法立案のための血圧値等を被検者毎に提供することができる。
【００８８】
なお、表示部１９は血圧測定終了毎に血圧測定をした被検者の血圧値を表示してもよい。血圧測定終了毎に血圧値を表示することで、被検者は血圧計１５が精度よく血圧を測定できているか否かを確認することができる。精度よく血圧を測定していない場合には、被検者は血圧計１５を装着しなおし、再度血圧測定をすることで精度のよい血圧値を得ることができる。
【００８９】
（実施の形態４）  
本願第二の発明の実施形態に係る血圧測定装置は、前記記憶手段が出力する前記記憶データから前記識別符号毎に前記血圧値の時間的推移をグラフ表示する、又は前記識別符号毎に前記血圧値の時間的推移を前記血圧測定日時の時間帯別にグラフ表示するグラフ表示部をさらに備えてもよい。
【００９０】
図５は、本願第二の発明の他の実施形態に係る血圧測定装置の構成を示す概略図である。以下に特に記載しない限り、図１及び図２で用いた符号と同じ符号は同じ構成及び同じ機能である。図２の血圧測定装置との違いは記憶手段１７にグラフ表示部２０が接続されていることである。
【００９１】
グラフ表示部２０は記憶手段１７が出力する記憶データ１０７の血圧値及び血圧測定日時から前記血圧値の時間的推移を識別符号毎にグラフ表示する。さらに、前記血圧値の時間的推移を前記血圧測定日時の時間帯別にグラフ表示してもよい。前記血圧測定日時の時間帯別にグラフ表示とは、例えば、起床時の血圧測定の収縮期血圧値のみの時間的推移をグラフ表示することをいう。起床時、就寝前等の時間帯は被検者が血圧測定時に図示しない入力手段により記憶手段１７に記憶させてもよいが、記憶データ１０７の血圧測定日時から、グラフ表示部２０が自動で前記時間帯を判断してもよい。
【００９２】
図１及び図２で用いた符号と同じ図５の符号は同じ動作を行う。図５の血圧測定装置は図１及び図２の血圧測定装置で説明したように血圧測定を行い、血圧値等を記憶手段１７に記憶する。記憶手段１７は記憶データ１０７をグラフ表示部２０へ出力するため、グラフ表示部２０は前記血圧値の時間的推移を識別符号毎、すなわち被検者毎にグラフ表示することができる。被検者はグラフ表示部２０を確認することで記憶手段１７に記憶されている血圧値等を検索することなく、被検者個人の血圧値の時間的推移をグラフとして視覚的に確認することができる。また、グラフ表示部２０が時間帯別にグラフ表示することで、被検者は起床時あるいは就寝時等の同一活動条件での血圧値の時間的推移を容易に確認することができる。
【００９３】
グラフ表示部２０の表示例を図６に示す。図６におけるグラフ表示部２０は、例えばタッチパネル式の液晶表示画面とすることができる。図６の表示例は識別符号０１４２の被検者が１２月１日から１２月１２日まで起床時と就寝前に血圧測定をした結果を時間帯別に表示したものである。例えば、１２月９日の起床時に測定した収縮期血圧値は１２０ｍｍＨｇ、拡張期血圧値は８０ｍｍＨｇであって、同日の就寝時に測定した収縮期血圧値は１２５ｍｍＨｇ、拡張期血圧値は７３ｍｍＨｇであったことを示している。また、起床時の収縮期血圧値に注目すれば、１２月１日は１２４ｍｍＨｇ、１２月２日は１２５ｍｍＨｇ、１２月３日は１２４ｍｍＨｇ、１２月４日は１３０ｍｍＨｇ、１２月５日は１２０ｍｍＨｇのように推移していることを示している。被検者は、図６の表示画面の右上にある通常表示に触れることで血圧値を測定日時順に表示させることができる。また、他の識別符号に対応する被検者の血圧測定日時と血圧値を確認したい場合、表示画面上部の他の識別符号のタブに触れることで表示させることができる。
【００９４】
従って、本願発明の実施の形態４に係る血圧測定装置は複数の被検者が共同で使用しても測定した血圧値等を被検者毎に管理することができ、正しい診断及び疾患予防方法立案のための血圧値等を被検者毎に提供することができる。
【００９５】
なお、グラフ表示部２０は血圧測定終了毎に血圧測定をした被検者の血圧値を表示してもよい。血圧測定終了毎に血圧値を表示することで、被検者は血圧計１５が精度よく血圧を測定できているか否かを確認することができる。精度よく血圧を測定していない場合には、被検者は血圧計１５を装着しなおし、再度血圧測定をすることで精度のよい血圧値を得ることができる。
【００９６】
（実施の形態５）
本願第一の発明又は本願第二の発明の実施形態に係る血圧測定装置は、前記識別符号に対応するパスワードを取得するパスワード入力回路と、前記識別符号入力回路からの新規な識別符号に対応する前記パスワード入力回路からの新規なパスワードを前記新規な識別符号と対応付けて前記記憶手段に登録パスワードとして記憶させるパスワード登録手段と、前記識別符号入力回路からの前記識別符号に対応する前記登録パスワードを前記記憶手段から検索し、前記パスワード入力回路からのパスワードと前記記憶手段からの前記検索した登録パスワードとを比較演算し、前記登録パスワードと前記パスワードが合致した場合に、前記記憶手段に前記識別符号に対応する前記記憶データを出力させるパスワード認証回路と、をさらに備えてもよい。
【００９７】
図７は、本願第二の発明の他の実施形態に係る血圧測定装置の構成を示す概略図である。以下に特に記載しない限り、図１、図２及び図３で用いた符号と同じ符号は同じ構成及び同じ機能である。図３の血圧測定装置との違いはパスワード入力回路２１、パスワード登録手段２３及びパスワード認証回路２５がさらに備えられていることである。
【００９８】
パスワード入力回路２１は、被検者毎に決めたパスワードが入力される回路である。前記パスワードは信号処理しやすい数字、アルファベット等の文字又は文字列で構成されることが好ましい。被検者はパスワード入力回路２１が有する数字、アルファベット等の文字が並んだキーボードから前記パスワードを入力する。パスワード入力回路２１は入力されたパスワードをパスワード信号２０１として出力する。例えば、入力されたパスワードをＡＳＣＩＩコード、ＥＢＣＤＩＣコード等の文字コードに変換してもよい。
【００９９】
パスワード登録手段２３は、新規な被検者を登録するために新規な識別符号と新規なパスワードを対応付け、記憶手段１７に登録パスワードとして記憶させるパスワード登録信号２０３を出力する回路である。なお、図７の血圧測定装置の記憶手段１７は、識別符号、血圧値等の他に、前記登録パスワードを記憶する。
【０１００】
パスワード認証回路２５は、入力された識別符号に対応する記憶手段１７が記憶する登録パスワードを要求する問い合わせ信号２０５を出力する。さらに、前記登録パスワードと入力されたパスワードとを比較演算し、一致した場合に、前記識別符号に対応する記憶データ１０７を記憶手段１７に出力させるデータ出力指示信号２１５を出力する。
【０１０１】
実施の形態５に係る血圧測定装置の時刻測定回路１１、識別符号入力回路１３、血圧計１５、記憶手段１７、表示部１９、パスワード入力回路２１、パスワード登録手段２３及びパスワード認証回路２５を図７のように接続する。具体的には、時刻測定回路１１、識別符号入力回路１３、血圧計１５、記憶手段１７及び表示部１９は図３で説明した血圧測定装置のように接続される。さらに、識別符号入力回路１３は記憶手段１７以外にパスワード登録手段２３及びパスワード認証回路２５と接続する。パスワード入力回路２１はパスワード登録手段２３及びパスワード認証回路２５と接続する。パスワード登録手段２３は識別符号入力回路１３、パスワード入力回路２１及び記憶手段１７と接続している。パスワード認証回路２５は識別符号入力回路１３、パスワード入力回路２１及び記憶手段１７と接続している。
【０１０２】
図７の血圧測定装置の動作を図８のフローチャートに従って説明する。被検者は前記血圧測定装置の識別符号入力回路１３に前記被検者の識別符号を入力する（ステップＳ８０１）。次いで、前記被検者は血圧測定をするか否かを選択し、前記血圧測定装置に入力する（ステップＳ８０５）。前記選択は前記ステップＳ８０１において前記識別符合の入力とともに識別符合入力回路１３で行ってもよい。血圧測定をする場合、前記血圧測定装置は図１又は図２の血圧測定装置と同様に血圧測定及び血圧測定日時の計測を行い（ステップＳ８０６）、血圧値を算出する（ステップＳ８０７）。次いで、血圧値等と前記識別符号とを対応付けて記憶手段１７に記憶させる（ステップＳ８０８）。
【０１０３】
ステップＳ８０５において血圧測定をしない場合、前記被検者はパスワード登録か血圧値出力かを選択する（ステップＳ８０２）。
【０１０４】
パスワード登録の場合、前記被検者はパスワード入力回路２１に新規なパスワードを入力する（ステップＳ８０３）。識別符号入力回路１３からの識別符号信号１０３とパスワード入力回路２１からのパスワード信号２０１とをパスワード登録手段２３が受信する。パスワード登録手段２３はパスワード登録信号２０３を記憶手段１７に出力し、記憶手段１７に登録パスワードを記憶させる（ステップＳ８０４）。
【０１０５】
ステップＳ８０２において血圧値等の出力をする場合、前記血圧測定装置は前記被検者にパスワードの入力を要求する。前記被検者はパスワード入力回路２１に自己のパスワードを入力する（ステップＳ８０９）。識別符号入力回路１３からの識別符号信号１０３とパスワード入力回路２１からのパスワード信号２０１とをパスワード認証回路２５が受信する。次いでパスワード認証回路２５は問い合わせ信号２０５を記憶手段１７に出力し、記憶手段１７は要求された登録パスワードを登録パスワード信号２０８として出力する。パスワード認証回路２５は前記被検者が入力したパスワードと登録パスワードを比較演算する（ステップＳ８１０）。前記被検者が入力したパスワードと前記登録パスワードが一致した場合、パスワード認証回路２５はデータ出力指示信号２１５を記憶手段１７へ出力する。データ出力指示信号２１５を受信した記憶手段１７は前記被検者の識別符号に対応する血圧値等の記憶データ１０７を出力し、表示部１９が表示する。従って、前記被検者は自己の血圧値等を確認することができる（ステップＳ８１１）。また、前記被検者の識別符号に対応しない他の被検者の血圧値等は出力されないため、前記被検者は他の被検者の血圧値等を確認することはできない。従って、前記血圧測定装置は血圧値等を個人情報として保護することができる。
【０１０６】
前記ステップＳ８１０において、前記被検者が入力したパスワードと前記登録パスワードが不一致の場合、パスワード認証回路２５はデータ出力指示信号２１５を出力しないため、記憶手段１７は記憶データ１０７を出力せず、記憶されている血圧値は表示部１９に表示されない。
従って、前記血圧測定装置は血圧値等を個人情報として保護することができる。
【０１０７】
なお、前記血圧測定装置の動作の説明において、血圧値等の出力の場合を被検者が操作する場合を想定して記載したが、前記血圧測定装置の管理者、医療関係者、保護者等の被検者の血圧値等を確認する者が特定のパスワードをパスワード入力回路２１に入力することで記憶手段１７に記憶データ１０７を出力させるようにしてもよい。
【０１０８】
従って、本願発明の実施の形態５に係る血圧測定装置は複数の被検者が共同で使用しても血圧値等を被検者毎に管理することができ、正しい診断及び疾患予防方法立案のための血圧値を被検者毎に提供することもできる。
【０１０９】
（実施の形態６）
本願第一の発明又は本願第二の発明の実施形態に係る血圧測定装置は、前記識別符号に対応する生体情報を取得する生体情報入力回路と、前記識別符号入力回路からの新規な識別符号に対応する前記生体情報入力回路からの新規な生体情報を前記新規な識別符号と対応付けて前記記憶手段に登録生体情報として記憶させる生体情報登録手段と、前記識別符号入力回路からの前記識別符号に対応する前記登録生体情報を前記記憶手段から検索し、前記生体情報入力回路からの生体情報と前記記憶手段からの前記検索した登録生体情報とを比較演算し、前記登録生体情報と前記生体情報が合致した場合に、前記記憶手段に前記識別符号に対応する前記記憶データを出力させる生体情報認証回路と、をさらに備える。
【０１１０】
図９は、本願第二の発明の他の実施形態に係る血圧測定装置の構成を示す概略図である。以下に特に記載しない限り、図１、図２、図３及び図７で用いた符号と同じ符号は同じ構成及び同じ機能である。図７の血圧測定装置との違いは血圧値等の出力をパスワードで管理するのではなく、被検者の生体情報で管理するため、パスワード入力回路２１、パスワード登録手段２３及びパスワード認証回路２５の代替として生体情報入力回路３１、生体情報登録手段３３及び生体情報認証回路３５が備えられていることである。
【０１１１】
生体情報入力回路３１は、入力された指紋、眼球の虹彩、皮膚表面に現れる静脈パタン等の被検者固有の生体情報を生体情報信号３０１として出力する回路である。例えば、生体情報を指紋とする場合は生体情報入力回路３１を静電容量式指紋センサーとすることができる。指紋の情報を信号化する手段として情報量を小さくするために指紋の端点・分岐点とその相関といった特徴点を抽出して生体情報信号３０１とする特徴点抽出法であることが好ましい。また、生体情報を静脈パタンとする場合は生体情報入力回路３１を近赤外光源とその透過光から得られる静脈パタン画像を取得するＣＣＤカメラから構成される。生体情報を眼球の虹彩とする場合は生体情報入力回路３１を眼球の瞳孔外側の虹彩に生ずる皺を取得するＣＣＤカメラとすることができる。
【０１１２】
生体情報登録手段３３は、新規な被検者を登録するために新規な識別符号と新規な生体情報を対応付け、記憶手段１７に登録生体情報として記憶させる生体情報登録信号３０３を出力する回路である。なお、図９の血圧測定装置の記憶手段１７は、識別符号、血圧値等の他に、前記登録生体情報を記憶する。
【０１１３】
生体情報認証回路３５は、入力された識別符号に対応する記憶手段１７の記憶する登録生体情報を要求する問い合わせ信号３０５を出力する。さらに、前記登録生体情報と入力された生体情報とを比較演算し、一致した場合に、前記識別符号に対応する記憶データ１０７を記憶手段１７に出力させるデータ出力指示信号３１５を出力する。
【０１１４】
実施の形態６に係る血圧測定装置の時刻測定回路１１、識別符号入力回路１３、血圧計１５、記憶手段１７、表示部１９、生体情報入力回路３１、生体情報登録手段３３及び生体情報認証回路３５を図９のように接続する。実施の形態６に係る血圧測定装置は被検者の認証手段が実施の形態５に係る血圧測定装置の認証手段のパスワードから生体情報に代替したものであり、パスワードの入力、登録及び認証が生体情報の入力、登録及び認証に代替し、送受信される信号がパスワードに関するものから生体情報に関するものに変更された以外は実施の形態５に係る血圧測定装置で説明したように接続する。
【０１１５】
実施の形態６に係る血圧測定装置は図１０のフローチャートのように動作する。同様の理由により実施の形態６に係る血圧測定装置は実施の形態５に係る血圧測定装置で説明したように動作する。
【０１１６】
生体情報認証回路３５は被検者が入力した生体情報に対応する血圧値等のみを記憶手段１７に記憶データ１０７として出力させる。一方、前記生体情報に対応しない他の被検者の血圧値等は出力されないため、前記被検者は他の被検者の血圧値等を確認することはできない。さらに、前記生体情報と前記登録生体情報とが一致しない場合、生体情報認証回路３５は記憶手段１７に記憶データ１０７を出力させない。従って、前記血圧測定装置は血圧値等を個人情報として保護することができる。
【０１１７】
なお、実施の形態５に係る血圧測定装置と同様に、前記血圧測定装置の管理者、医療関係者、保護者等の被検者の血圧値等を管理する者の生体情報を予め記憶手段１７に記憶させておき、前記生体情報を生体情報入力回路３１に入力することで記憶手段１７に記憶データ１０７を出力させるようにしてもよい。
【０１１８】
従って、本願発明の実施の形態６に係る血圧測定装置は複数の被検者が共同で使用しても血圧値等を被検者毎に管理することができ、正しい診断及び疾患予防方法立案のための血圧値を被検者毎に提供することもできる。
【０１１９】
（実施の形態７）
本願第一の発明又は本願第二の発明の実施形態に係る血圧測定装置は、前記被検体を識別するライセンスコードを記憶するハードウエアキーを接続するハードウエアキー接続部と、前記識別符号入力回路からの新規な識別符号に対応する前記ハードウエアキー接続部に接続された前記ハードウエアキーからの新規なライセンスコードを前記新規な識別符号と対応付けて前記記憶手段に登録ライセンスコードとして記憶させるライセンスコード登録手段と、前記識別符号入力回路からの前記識別符号に対応する前記登録ライセンスコードを前記記憶手段から検索し、前記ハードウエアキー接続部に接続された前記ハードウエアキーからのライセンスコードと前記記憶手段からの前記検索した登録ライセンスコードとを比較演算し、前記登録ライセンスコードと前記ライセンスコードが合致した場合に、前記記憶手段に前記識別符号に対応する前記記憶データを出力させるハードウエアキー認証回路と、をさらに備える。
【０１２０】
図１１は、本願第二の発明の他の実施形態に係る血圧測定装置の構成を示す概略図である。以下に特に記載しない限り、図１、図２、図３及び図７で用いた符号と同じ符号は同じ構成及び同じ機能である。図７の血圧測定装置との違いは血圧値の出力をパスワードで管理するのではなく、ハードウエアキーで管理するため、パスワード入力回路２１、パスワード登録手段２３及びパスワード認証回路２５の代替としてハードウエアキー接続部４１、ライセンスコード登録手段４３及びハードウエアキー認証回路４５が備えられていることである。
【０１２１】
ハードウエアキーには予め被検者を識別するライセンスコードが記憶される。ライセンスコードは被検者の識別符号であってもよいし、識別符号とは別の数字、アルファベット等の文字又は文字列で構成してもよい。被検者毎のライセンスコードを記憶したハードウエアキーを被検者毎に所有してもよいし、複数の被検者のライセンスコードを記憶したハードウエアキーを複数の被検者で共有してもよい。
【０１２２】
ハードウエアキー接続部４１は、ハードウエアキーを接続するコネクタ及びハードウエアキーに記憶されるライセンスコードを読み出し、ライセンスコード信号４０１を出力する回路から構成される。
【０１２３】
ライセンスコード登録手段４３は、新規な被検者を登録するために新規な識別符号と新規なライセンスコードを対応付け、記憶手段１７に登録ライセンスコードとして記憶させるライセンスコード登録信号４０３を出力する回路である。なお、図１１の血圧測定装置の記憶手段１７は、識別符号、血圧値等の他に、前記登録ライセンスコードを記憶する。
【０１２４】
ハードウエアキー認証回路４５は、入力された識別符号に対応する記憶手段１７が記憶する登録ライセンスコードを要求する問い合わせ信号４０５を出力する。さらに、前記登録ライセンスコードと接続されたハードウエアキーのライセンスコードとを比較演算し、一致した場合に、前記識別符号に対応する記憶データ１０７を記憶手段１７に出力させるデータ出力指示信号４１５を出力する。
【０１２５】
実施の形態７に係る血圧測定装置の時刻測定回路１１、識別符号入力回路１３、血圧計１５、記憶手段１７、表示部１９、ハードウエアキー接続部４１、ライセンスコード登録手段４３及びハードウエハキー認証回路４５を図１１のように接続する。実施の形態７に係る血圧測定装置は被検者の認証手段が実施の形態５に係る血圧測定装置の認証手段のパスワードからハードウエアキーのライセンスコードに代替したものであり、パスワードの入力、登録及び認証がハードウエアキーの接続、ライセンスコード登録及びハードウエアキー認証に代替し、送受信される信号がパスワードに関するものからライセンスコードに関するものに変更された以外は実施の形態５に係る血圧測定装置で説明したように接続する。
【０１２６】
実施の形態７に係る血圧測定装置は図１２のフローチャートのように動作する。同様の理由により実施の形態７に係る血圧測定装置は実施の形態５に係る血圧測定装置で説明したように動作する。
【０１２７】
ハードウエアキー認証回路４５は被検者が接続したハードウエアキーが記憶するライセンスコードに対応する血圧値等のみを記憶手段１７に記憶データ１０７として出力させる。一方、前記ライセンスコードに対応しない他の被検者の血圧値等は出力されないため、前記被検者は他の被検者の血圧値等を確認することはできない。さらに、ハードウエアキーを接続しない場合、ハードウエアキー認証回路４５は記憶手段１７に記憶データ１０７を出力させない。従って、前記血圧測定装置は血圧値等を個人情報として保護することができる。
【０１２８】
なお、前記血圧測定装置の管理者、医療関係者、保護者等の被検者の血圧値等を管理する者のハードウエアキーを用意し、前記ハードウエアキーのライセンスコードを予め記憶手段１７に記憶させておいてもよい。前記ハードウエアキーをハードウエアキー接続部４１に接続することで記憶手段１７に所望の被検者の血圧値等を記憶データ１０７として出力させるようにしてもよい。
【０１２９】
従って、本願発明の実施の形態７に係る血圧測定装置は複数の被検者が共同で使用しても測定結果を被検者毎に管理することができ、正しい診断及び疾患予防方法立案のための血圧値を被検者毎に提供することもできる。
【０１３０】
（実施の形態８）
本願第三の発明の実施形態に係る血圧測定装置は、被検者の血圧を測定し、測定した血圧から血圧値を算出する血圧計と、前記被検者を識別する生体情報を取得する生体情報入力回路と、前記生体情報入力回路からの前記生体情報と前記血圧計からの前記血圧値とを対応付けて記憶し、記憶した前記血圧値を前記生体情報毎に記憶データとして出力する記憶手段と、を備える。
【０１３１】
図１３は、本願第三の発明の実施形態に係る血圧測定装置の構成を示す概略図である。本願第三の発明の実施形態に係る血圧測定装置は、図１で説明した血圧測定装置の識別符号入力回路１３の代替として生体情報入力回路３１を備える。以下に特に記載しない限り、図１及び図９で用いた符号と同じ符号は同じ構成及び同じ機能である。
【０１３２】
本願第三の発明の実施形態に係る血圧測定装置は、生体情報入力回路３１、血圧計１５及び記憶手段１７を図１３のように接続する。すなわち、記憶手段１７は生体情報入力回路３１が出力した生体情報信号３０１と血圧計１５が出力した血圧値信号１０５を受信する。
【０１３３】
本願発明の実施の形態８に係る血圧測定装置は以下のように動作する。被検者は血圧測定前に生体情報入力回路３１から生体情報を入力する。次いで被検者は血圧計１５により血圧を測定する。血圧計１５は測定した血圧から血圧値を算出する。記憶手段１７は生体情報信号３０１の生体情報と血圧値信号１０５の血圧値を対応付けて記憶し、被検者の要求あるいは前記血圧測定装置に接続したコンピュータ等の外部機器の要求に応じ、記憶した血圧値を生体情報毎に記憶データ１０７として出力する。
【０１３４】
従って、本願発明の実施の形態８に係る血圧測定装置は複数の被検者が共同で使用しても測定した血圧値を被検者毎に管理することができ、正しい診断及び疾患予防方法立案のための血圧値を被検者毎に提供することができる。また、生体情報で直接被検者の血圧値を管理するため、被検者毎の識別符号が不要であり、被検者が識別符号を忘却し血圧測定をすることができなくなることを回避することができる。なお、被検者が生体情報入力回路３１に生体情報を入力することで血圧計１５を血圧測定可能状態とするようにしてもよい。生体情報の入力忘れを防止することができ、測定した血圧値がいずれの被検者の血圧値であるかが不明となることを避けることができる。
【０１３５】
（実施の形態９）
本願第四の発明の実施形態に係る血圧測定装置は、被検者の血圧を測定し、測定した血圧から血圧値を算出する血圧計と、前記被検者を識別する生体情報を取得する生体情報入力回路と、前記血圧計が血圧を測定した血圧測定日時を計測する時刻測定回路と、前記生体情報入力回路からの前記生体情報、前記血圧計からの前記血圧値及び前記時刻測定回路からの前記血圧測定日時を対応付けて記憶し、記憶した前記血圧値及び前記血圧測定日時を前記生体情報毎に記憶データとして出力する記憶手段と、を備える。
【０１３６】
図１４は、本願発明の実施の形態９に係る血圧測定装置の構成を示す概略図である。図１４の血圧測定装置は、図１３で説明した血圧測定装置にさらに時刻測定回路１１を備える。以下に特に記載しない限り、図１、図２、図９及び図１３で用いた符号と同じ符号は同じ構成及び同じ機能である。
【０１３７】
前記血圧測定装置の時刻測定回路１１、生体情報入力回路３１、血圧計１５及び記憶手段１７を図１４のように接続する。具体的には、生体情報入力回路３１、血圧計１５及び記憶手段１７を図１３で説明した血圧測定装置のように接続し、さらに、時刻測定回路１１を血圧計１５と記憶手段１７とに接続する。
【０１３８】
図１、図２、図９及び図１３で用いた符号と同じ図１４の符号は同じ動作を行い、図１４の血圧測定装置は図１３の血圧測定装置で説明したように血圧測定を行う。時刻測定回路１１は血圧測定確認信号１１５を受信し、血圧測定の日時を測定し、測定日時データ１０１を出力する。記憶手段１７は測定日時データ１０１、生体情報信号３０１及び血圧値信号１０５を受信し、血圧測定日時、前記生体情報及び前記血圧値を対応付けて記憶する。さらに、被検者の要求あるいは前記血圧測定装置に接続したコンピュータ等の外部機器の要求に応じ、記憶した血圧値と血圧測定日時を生体情報毎に記憶データ１０７として出力する。
【０１３９】
従って、本願発明の実施の形態９に係る血圧測定装置は複数の被検者が共同で使用しても測定した血圧値を被検者毎に管理することができ、正しい診断及び疾患予防方法立案のための血圧値を被検者毎に提供することができる。また、生体情報で直接被検者の血圧値を管理するため、被検者毎の識別符号が不要であり、被検者が識別符号を忘却し血圧測定をすることができなくなることを回避することができる。なお、被検者が生体情報入力回路３１に生体情報を入力することで血圧計１５を血圧測定可能状態とするようにしてもよい。生体情報の入力忘れを防止することができ、測定した血圧値がいずれの被検者の血圧値であるかが不明となることを避けることができる。
【０１４０】
（実施の形態１０）
本願第三の発明又は本願第四の発明の実施形態に係る血圧測定装置は、前記記憶手段が出力する前記記憶データを前記生体情報毎に表示する表示部をさらに備えてもよい。
【０１４１】
図１５は、本願第四の発明の他の実施形態に係る血圧測定装置の構成を示す概略図である。以下に特に記載しない限り、図１、図２、図３、図１３及び図１４で用いた符号と同じ符号は同じ構成及び同じ機能である。図１４の血圧測定装置との違いは記憶手段１７に表示部１９が接続されていることである。
【０１４２】
図１、図２、図３、図１３及び図１４で用いた符号と同じ図１５の符号は同じ動作を行う。図１５の血圧測定装置は図１３又は図１４の血圧測定装置で説明したように血圧測定を行い、血圧値等を記憶手段１７に記憶する。記憶手段１７は記憶データ１０７を表示部１９へ出力するため、表示部１９は前記血圧値等を生体情報毎、すなわち被検者毎に表示することができる。被検者は表示部１９を確認することで記憶手段１７に記憶されている血圧値等を検索することなく、容易に被検者自らの血圧値等を確認することができる。
【０１４３】
従って、本願発明の実施の形態１０に係る血圧測定装置は複数の被検者が共同で使用しても測定した血圧値等を被検者毎に管理することができ、正しい診断及び疾患予防方法立案のための血圧値等を被検者毎に提供することができる。
【０１４４】
なお、表示部１９は血圧測定終了毎に血圧測定をした被検者の血圧値等を表示してもよい。血圧測定終了毎に血圧値等を表示することで、被検者は血圧計１５が精度よく血圧を測定できているか否かを確認することができる。精度よく血圧を測定していない場合には、被検者は血圧計１５を装着しなおし、再度血圧測定をすることで精度のよい血圧値を得ることができる。
【０１４５】
（実施の形態１１）
本願第四の発明の実施形態に係る血圧測定装置は、前記記憶手段が出力する前記記憶データから前記生体情報毎に前記血圧値の時間的推移をグラフ表示する、又は前記生体情報毎に前記血圧値の時間的推移を前記血圧測定日時の時間帯別にグラフ表示するグラフ表示部をさらに備えてもよい。
【０１４６】
図１６は、本願第四の発明の他の実施形態に係る血圧測定装置の構成を示す概略図である。以下に特に記載しない限り、図１、図２、図５、図１３及び図１４で用いた符号と同じ符号は同じ構成及び同じ機能である。図１５の血圧測定装置との違いは記憶手段１７にグラフ表示部２０が接続されていることである。
【０１４７】
図１、図２、図５、図１３及び図１４で用いた符号と同じ図１６の符号は同じ動作を行う。図１６の血圧測定装置は図１４の血圧測定装置で説明したように血圧測定を行い、血圧値等を記憶手段１７に記憶する。記憶手段１７は記憶データ１０７をグラフ表示部２０へ出力するため、グラフ表示部２０は前記血圧値の時間的推移を生体情報毎、すなわち被検者毎にグラフ表示することができる。被検者はグラフ表示部２０を確認することで記憶手段１７に記憶されている血圧値等を検索することなく、被検者個人の血圧値の時間的推移をグラフとして視覚的に確認することができる。また、グラフ表示部２０が時間帯別にグラフ表示することで、被検者は起床時あるいは就寝時等の同一活動条件での血圧値の時間的推移を容易に確認することができる。
【０１４８】
従って、本願発明の実施の形態１１に係る血圧測定装置は複数の被検者が共同で使用しても測定した血圧値等を被検者毎に管理することができ、正しい診断及び疾患予防方法立案のための血圧値等を被検者毎に提供することができる。
【０１４９】
なお、グラフ表示部２０は血圧測定終了毎に表示してもよい。血圧測定終了毎に血圧値を表示することで、被検者は血圧計１５が精度よく血圧を測定できているか否かを確認することができる。精度よく血圧を測定していない場合には、被検者は血圧計１５を装着しなおし、再度血圧測定をすることで、精度のよい血圧値を得ることができる。
【０１５０】
（実施の形態１２）
本願第三の発明又は本願第四の発明の実施形態に係る血圧測定装置は、前記生体情報入力回路からの前記生体情報により、前記記憶手段に前記生体情報に対応する前記記憶データを出力させる生体情報認証回路をさらに備えてもよい。
【０１５１】
図１７は、本願第四の発明の他の実施形態に係る血圧測定装置の構成を示す概略図である。以下に特に記載しない限り、図１、図２、図３及び図１５で用いた符号と同じ符号は同じ構成及び同じ機能である。図１５の血圧測定装置との違いは生体情報認証回路３６が備えられていることである。
【０１５２】
生体情報認証回路３６は、入力された生体情報に対応する記憶データ１０７を記憶手段１７に出力させるデータ出力指示信号３１５を出力する。
【０１５３】
図１７の生体情報入力回路３１は生体情報信号３０１を記憶手段１７の他に生体情報認証回路３６にも出力する。
【０１５４】
実施の形態１２に係る血圧測定装置の時刻測定回路１１、血圧計１５、記憶手段１７、表示部１９、生体情報入力回路３１及び生体情報認証回路３６を図１７のように接続する。具体的には、時刻測定回路１１、血圧計１５、記憶手段１７、表示部１９、生体情報入力回路３１は図１６で説明した血圧測定装置のように接続される。さらに、生体情報入力回路３１は記憶手段１７の他に生体情報認証回路３６と接続し、生体情報認証回路３６は記憶手段１７と生体情報入力回路３１と接続する。
【０１５５】
前記血圧測定装置は、図１８に示すフローチャートのように動作する。図１８のフローチャートに従い以下に具体的に説明する。被検者は生体情報入力回路３１に自己の生体情報を入力する（ステップＳ１８０１）。次いで、前記被検者は血圧測定をするのか記憶データを出力させるのかを選択し、前記血圧測定装置に入力する（ステップＳ１８０５）。前記選択は前記ステップＳ１８０１において前記識別符合の入力とともに生体情報入力回路３１で行ってもよい。ステップＳ１８０５において血圧測定をする場合、前記血圧測定装置は図１３又は図１４の血圧測定装置と同様に血圧計１５で血圧測定及び血圧測定日時の計測を行い（ステップＳ１８０６）、血圧値を算出する（ステップＳ１８０７）。次いで、血圧値信号１０５の血圧値、測定日時データ１０１の血圧測定日時及び生体情報信号３０１の生体情報を対応付けて記憶手段１７に記憶させる（ステップＳ１８０８）。
【０１５６】
一方、ステップＳ１８０５において記憶データを出力させる場合、生体情報信号３０１を受信した生体情報認証回路３６は記憶手段１７にデータ出力指示信号３１５を出力する。データ出力指示信号３１５を受信した記憶手段１７はステップＳ１８０１で被検者が入力した生体情報に対応する血圧値等を抽出する（ステップＳ１８１２）。抽出した血圧値等がない場合、そのまま終了する（ステップＳ１８１０）。ステップ１８１２で抽出した血圧値等は記憶データ１０７として出力され（ステップＳ１８１１）、表示部１９で表示される。従って、前記被検者は自己の血圧値等を確認することができる。また、前記被検者が入力した生体情報に対応しない他の被検者の血圧値等は出力されないため、前記被検者は他の被検者の血圧値等を確認することはできない。従って、前記血圧測定装置は血圧値等を個人情報として保護することができる。
【０１５７】
なお、実施の形態５に係る血圧測定装置と同様に、前記血圧測定装置の管理者、医療関係者、保護者等の被検者の血圧値等を管理する者の生体情報を予め記憶手段１７に記憶させておき、前記生体情報を生体情報入力回路３１に入力することで記憶手段１７に記憶データ１０７を出力させるようにしてもよい。
【０１５８】
従って、本願発明の実施の形態１２に係る血圧測定装置は複数の被検者が共同で使用しても測定結果を被検者毎に管理することができ、正しい診断及び疾患予防方法立案のための血圧値を被検者毎に提供することもできる。
【０１５９】
（実施の形態１３）
本願第一から第四のいずれかの発明の実施形態に係る血圧測定装置は、少なくとも前記血圧計を外耳の一部に装着する耳装着部をさらに備えてもよい。
【０１６０】
本願発明の実施の形態１３に係る血圧測定装置の具体例として外耳の一部に装着する血圧測定装置１０の概略図を図１９に示す。血圧測定装置１０は本願発明の実施の形態１２で説明した血圧測定装置に耳装着部５９をさらに備えている。図１９（Ａ）は、血圧測定装置１０の側面を示している。以下に特に記載しない限り、図１９（Ａ）において図１７で用いた符号と同じ符号は同じ構成及び同じ機能である。
【０１６１】
血圧測定装置１０は図１９（Ａ）に示すように、血圧計１５、生体情報入力回路３１、第一のアーム５１、第二のアーム５２、本体５３、通信線５４、支軸５５、スイッチ５６、接触部５７及び距離可変機構５０を備える。なお、耳装着部５９は、第一のアーム５１、第二のアーム５２、支軸５５、スイッチ５６、接触部５７及び距離可変機構５０から構成される。
【０１６２】
図１９（Ａ）の血圧測定装置１０において血圧計１５は耳珠１に圧力を印加するカフを有する血圧計であることを想定している。なお、気体又は液体を供給排出するポンプ、電源、配管等通常の技術で実現できる部分は図示していない。
【０１６３】
図１９（Ａ）の血圧測定装置１０において接触部５７は、血圧計１５とともに耳珠１を挟み、血圧測定装置１０を耳介の一部に固定する。
【０１６４】
図１９の血圧測定装置１０の生体認証手段は耳珠１の静脈をパタン認識する手段を想定している。従って、生体情報入力回路３１は耳珠１に近赤外光を照射する近赤外光源３１ａと前記照射光の耳珠１の透過光から得られる静脈パタンを取得するＣＣＤカメラ３１ｂとから構成される。
【０１６５】
図１９（Ａ）の血圧測定装置１０において第一のアーム５１、第二のアーム５２の各々の一方の一端が支軸５５に接続されている。第一のアーム５１と第二のアーム５２が互いに対向する面の距離を可変する可変機構として、支軸５５と第一のアーム５１の接続部分に距離可変機構５０を備えている。距離可変機構５０は支軸５５と第一のアーム５１の角度を変化させて図１９（Ａ）に示す角度αを変化させることにより、第一のアーム５１と第二のアーム５２が互いに対向する面の間隔を調整する機能を有する。
【０１６６】
ここで、距離可変機構５０の角度を可変にする機構としては、支軸５５と第一のアーム５１の角度をネジにより調整する機構、あるいはフリクションとネジ固定を併用する機構などのいずれでもよい。
【０１６７】
本体５３は時刻測定回路１１、記憶手段１７、表示部１９及び生体情報認証回路３６から構成される。なお、時刻測定回路１１、記憶手段１７、表示部１９及び生体情報認証回路３６は本体５３に内蔵されるため図示をしていない。
【０１６８】
通信線５４は耳装着部５９の外部にある本体５３とを接続する。通信線５４により、本体５３に内蔵される時刻測定回路１１、記憶手段１７、表示部１９及び生体情報認証回路３６と耳装着部５９の血圧計１５及び生体情報入力回路３１が図１７で説明したように接続される。なお、通信線５４を無線としてもよい。
【０１６９】
図１９（Ａ）の血圧測定装置１０において、血圧計１５は第一のアーム５１に配置される。また、第二のアーム５２には第一のアーム５１上の血圧計１５に対向する位置に血圧測定部位と接触する接触部５７を配置している。なお、第一のアーム５１に接触部５７を、第二のアーム５２に血圧計１５を備えてもよい。近赤外光源３１ａは、血圧計１５のカフ内に配置される。従って、前記カフは光を透過させる部材が好ましい。ＣＣＤカメラ３１ｂは、接触部５７内に配置される。従って、接触部５７は光を透過させる部材であることが好ましい。
【０１７０】
図１９（Ｂ）に血圧測定装置１０の装着例を示す。図１９（Ｂ）は血圧測定装置１０の耳装着部５９を外耳の一部に装着した図であり、血圧測定装置１０の耳装着部５９を上面から見た図である。血圧計１５が配置されている第一のアーム５１の支軸５５と接続していない一端を外耳道９に挿入し、血圧計１５を外耳の一部、例えば耳珠１の内側に接触させるようにして耳装着部５９を装着する。さらに、第二のアーム５２の接触部５７を耳珠１の外側に接触させ、血圧計１５と接触部５７で耳珠１を挟むように装着する。ここで、血圧計１５と接触部５７との間隔は距離可変機構５０により、適切な接触状態に調整することができる。次いで、距離可変機構５０により角度αを固定することで耳装着部５９を耳介の一部に固定することができる。図１９（Ｂ）において、第一のアーム５１の一部及び血圧計１５は外耳道９の内側にあるので破線で示している。
【０１７１】
血圧測定装置１０の動作を図１８のフローチャートに従い以下に具体的に説明する。被検者は外耳の一部に耳装着部５９を装着し、スイッチ５６を押す。生体情報入力回路３１は近赤外光源３１ａから近赤外線を照射し、ＣＣＤカメラ３１ｂはその透過光から耳珠１の静脈パタン画像を取得する（ステップＳ１８０１）。取得した画像は生体情報信号３０１として出力され、通信線５４を介して本体５３に内蔵される生体情報認証回路３６に受信される。被検者は本体５３において血圧測定をするのか記憶データを出力させるのかを選択する（ステップＳ１８０５）。血圧測定をする場合、血圧計１５が耳珠１の血圧の測定を開始し（ステップＳ１８０６）、血圧値を算出する（ステップＳ１８０７）。同時に脈拍数も算出してもよい。また、血圧計１５から血圧測定確認信号１１５が通信線５４を介して本体５３に内蔵される時刻測定回路１１に受信され、血圧測定日時が測定される。算出した血圧値は血圧値信号１０５として通信線５４を介して本体５３に内蔵される記憶手段１７に受信され、血圧測定日時、生体情報と対応付けて記憶される（ステップＳ１８０８）。
【０１７２】
一方、記憶データを出力させる場合、生体情報認証回路３６は記憶手段１７に生体情報入力回路３１に入力された生体情報に対応する血圧値等を抽出させる（ステップＳ１８１２）。抽出した血圧値等は記憶データ１０７として出力され（ステップＳ１８１１）、表示部１９で表示される。
【０１７３】
従って、血圧測定装置１０は複数の被検者が共同で使用しても測定結果を被検者毎に管理することができ、正しい診断及び疾患予防方法立案のための血圧値を被検者毎に提供することもできる。
【０１７４】
なお、血圧測定装置１０において、生体情報入力回路３１及び血圧計１５を有した複数の耳装着部５９に対し、本体５３を一台としてもよい。耳装着部５９を複数の被検者全てに装着し、一括して測定した血圧値を収集してもよい。
【産業上の利用可能性】
【０１７５】
本願発明の血圧測定装置は、健康保持や健康診断のための生体情報を検出する健康器具に適用することができる。
【図面の簡単な説明】
【０１７６】
【図１】本願第一の発明に係る一の実施形態の血圧測定装置の構成を示す図である。
【図２】本願第二の発明に係る一の実施形態の血圧測定装置の構成を示す図である。
【図３】本願第二の発明に係る他の実施形態の血圧測定装置の構成を示す図である。
【図４】本願第二の発明に係る他の実施形態の血圧測定装置の表示部の表示例である。
【図５】本願第二の発明に係る他の実施形態の血圧測定装置の構成を示す図である。
【図６】本願第二の発明に係る他の実施形態の血圧測定装置のグラフ表示部の表示例である。
【図７】本願第二の発明に係る他の実施形態の血圧測定装置の構成を示す図である。
【図８】本願第二の発明に係る他の実施形態の血圧測定装置の動作のフローチャートである。
【図９】本願第二の発明に係る他の実施形態の血圧測定装置の構成を示す図である。
【図１０】本願第二の発明に係る他の実施形態の血圧測定装置の動作のフローチャートである。
【図１１】本願第二の発明に係る他の実施形態の血圧測定装置の構成を示す図である。
【図１２】本願第二の発明に係る他の実施形態の血圧測定装置の動作のフローチャートである。
【図１３】本願第三の発明に係る一の実施形態の血圧測定装置の構成を示す図である。
【図１４】本願第四の発明に係る一の実施形態の血圧測定装置の構成を示す図である。
【図１５】本願第四の発明に係る他の実施形態の血圧測定装置の構成を示す図である。
【図１６】本願第四の発明に係る他の実施形態の血圧測定装置の構成を示す図である。
【図１７】本願第四の発明に係る他の実施形態の血圧測定装置の構成を示す図である。
【図１８】本願第四の発明に係る他の実施形態の血圧測定装置の動作のフローチャートである。
【図１９】本願第四の発明に係る他の実施形態の血圧測定装置を示す図であり、（Ａ）は血圧測定装置１０の一形態を示した図であり、（Ｂ）は血圧測定装置１０の装着例を示した図である。
【符号の説明】
【０１７７】
１  耳珠
９  外耳道
１０  血圧測定装置
１１  時刻測定回路
１３  識別符号入力回路
１５  血圧計
１７  記憶手段
１９  表示部
２０  グラフ表示部
２１  パスワード入力回路
２３  パスワード登録手段
２５  パスワード認証回路
３１  生体情報入力回路
３１ａ  近赤外光源
３１ｂ  ＣＣＤカメラ
３３  生体情報登録手段
３５、３６  生体情報認証回路
４１  ハードウエアキー接続部
４３  ライセンスコード登録手段
４５  ハードウエアキー認証回路
５０  距離可変機構
５１  第一のアーム
５２  第二のアーム
５３  本体
５４  通信線
５５  支軸
５６  スイッチ
５７  接触部
５９  耳装着部
１０１  測定日時データ
１０３  識別符号信号
１０５  血圧値信号
１０７  記憶データ
１１５  血圧測定確認信号
２０１  パスワード信号
２０３  パスワード登録信号
２０５  問い合わせ信号
２１５  データ出力指示信号
２０８  登録パスワード信号
３０１  生体情報信号
３０３  生体情報登録信号
３０５  問い合わせ信号
３０８  登録生体情報信号
３１５  データ出力指示信号
４０１  ライセンスコード信号
４０３  ライセンスコード登録信号
４０５  問い合わせ信号
４０８  登録ライセンスコード信号
４１５  データ出力指示信号
【図１】
2006217930.tif 000003
【図２】
2006217930.tif 000004
【図３】
2006217930.tif 000005
【図４】
2006217930.tif 000006
【図５】
2006217930.tif 000007
【図６】
2006217930.tif 000008
【図７】
2006217930.tif 000009
【図８】
2006217930.tif 000010
【図９】
2006217930.tif 000011
【図１０】
2006217930.tif 000012
【図１１】
2006217930.tif 000013
【図１２】
2006217930.tif 000014
【図１３】
2006217930.tif 000015
【図１４】
2006217930.tif 000016
【図１５】
2006217930.tif 000017
【図１６】
2006217930.tif 000018
【図１７】
2006217930.tif 000019
【図１８】
2006217930.tif 000020
【図１９】
2006217930.tif 000021